(57)【要約】【課題】  流路を連通または閉鎖させる作業を容易に行うことができ、かつ簡単な構造で構成された輸液用コネクタを提供することにある。【解決手段】  輸液が流れる第１の流路を内部に備えると共に、該第１の流路の始端に流入口１２を備えたメスルアー１０と、前記第１の流路と連通可能な第２の流路を内部に備えると共に、該第２の流路の終端に流出口３０を備えたオスルアー２０とを設け、前記メスルアー１０と前記オスルアー２０とを回動可能に取り付けて、前記メスルアー１０または前記オスルアー２０を回動させて前記第１の流路と前記第２の流路とを連通または閉鎖している。【選択図】        図２
2005304582.tif 000002
【特許請求の範囲】
【請求項１】
輸液が流れる第１の流路を内部に備えると共に、該第１の流路の始端に流入口を備えたメスルアーと、前記第１の流路と連通可能な第２の流路を内部に備えると共に、該第２の流路の終端に流出口を備えたオスルアーとを設け、前記メスルアーと前記オスルアーとを回動可能に取り付けて、前記メスルアーまたは前記オスルアーを回動させて前記第１の流路と前記第２の流路とを連通または閉鎖していることを特徴とする輸液用コネクタ。
【請求項２】
前記オスルアーおよび前記メスルアーは互いに係合する位置決め部を備えており、前記位置決め部が係合した位置で前記第１の流路と前記第２の流路が連通され、前記位置決め部が係合しない位置で前記第１の流路と前記第２の流路が閉鎖されていることを特徴とする、請求項１に記載の輸液用コネクタ。
【請求項３】
前記第１の流路の終端と前記第２の流路の始端にそれぞれ連通穴を備えており、前記連通穴は前記メスルアーまたは前記オスルアーの回転軸に対し半径方向にずれた位置にそれぞれ形成され、前記連通穴のそれぞれが一致する位置で前記第１の流路と前記第２の流路が連通していることを特徴とする、請求項１または請求項２に記載の輸液用コネクタ。
【請求項４】
前記メスルアーが係合突起を備え、前記オスルアーが嵌合溝を備え、前記係合突起が前記嵌合溝に嵌合して、前記オスルアーまたは前記メスルアーの回動が案内されていることを特徴とする、請求項１から請求項３のいずれかに記載の輸液用コネクタ。
【請求項５】
前記オスルアーの前記流出口には輸液を送流する管が取り付けられ、前記メスルアーの前記流入口にはインジェクターが取り付けられるように形成されていることを特徴とする、請求項１から請求項４のいずれかに記載の輸液用コネクタ。
【請求項６】
前記オスルアーの前記流出口および前記メスルアーの流入口には、輸液を送流する管が取り付けられるようにそれぞれ形成されていることを特徴とする、請求項１から請求項４のいずれかに記載の輸液用コネクタ。
【発明の詳細な説明】
【技術分野】
【０００１】
本発明は、輸液（薬液）を送るための輸液流路を簡単に連通または閉鎖させることができる輸液用コネクタに関するものである。
【背景技術】
【０００２】
人体に水分、電解質または栄養素など（以下、薬液５０という）を投与して、体液補給、電解バランスの補正、栄養補給などを行なうために、輸液をするための各種装置が使用されている。図５に、その一例を示す。
【０００３】
図５に示すように、イルリガートルスタンド５１の上部には、薬液ボトル５２が吊下げられている。この薬液ボトル５２の下側には、薬液ボトル５２から薬液５０が流下するための輸液セット５３の一端が取り付けられており、この輸液セット５３の他端は、人体に留置されているカテーテル等に接続される。また、この輸液セット５３の途中には、必要に応じて薬液の滴数をカウントするための薬液カウンター５４や、一定の薬液を輸液するための輸液ポンプ５５が接続されている。これらにより、薬液５０を人体部に送るための薬液流路が形成されている。
【０００４】
この輸液セット５３で形成されている流路の途中には、この流路を連通または閉鎖するための輸液用コネクタが設けられている。このような輸液用コネクタとしては、例えば特許文献１に開示されているようなものがある。この輸液用コネクタは、ハウジング内部の円錐状の導管を蛇腹状のシールゴムで覆い、オスルアーチップを押し込んだり引き戻したりすることにより、シールゴムが薬液の流路を閉鎖または開通するようになっている。
【特許文献１】特表２０００−５０１６３７号公報
【発明の開示】
【発明が解決しようとする課題】
【０００５】
本発明の目的は、流路を連通または閉鎖させる作業を容易に行うことができ、かつ簡単な構造で構成された輸液用コネクタを提供することにある。
【課題を解決するための手段】
【０００６】
本発明では、輸液が流れる第１の流路を内部に備えると共に、該第１の流路の始端に流入口を備えたメスルアーと、前記第１の流路と連通可能な第２の流路を内部に備えると共に、該第２の流路の終端に流出口を備えたオスルアーとを設け、前記メスルアーと前記オスルアーとを回動可能に取り付けて、前記メスルアーまたは前記オスルアーを回動させて前記第１の流路と前記第２の流路とを連通または閉鎖している。
【０００７】
また、前記オスルアーおよび前記メスルアーは互いに係合する位置決め部を備えており、前記位置決め部が係合した位置で前記第１の流路と前記第２の流路が連通され、前記位置決め部が係合しない位置で前記第１の流路と前記第２の流路が閉鎖されている。
さらに、前記第１の流路の終端と前記第２の流路の始端にそれぞれ連通穴を備えており、前記連通穴は前記メスルアーまたは前記オスルアーの回転軸に対し半径方向にずれた位置にそれぞれ形成され、前記連通穴のそれぞれが一致する位置で前記第１の流路と前記第２の流路が連通している。
さらにまた、前記メスルアーが係合突起を備え、前記オスルアーが嵌合溝を備え、前記係合突起が前記嵌合溝に嵌合して、前記オスルアーまたは前記メスルアーの回動が案内されている。
【０００８】
前記オスルアーの前記流出口には輸液を送流する管が取り付けられ、前記メスルアーの前記流入口にはインジェクターが取り付けられるように形成されている。
また、前記オスルアーの前記流出口および前記メスルアーの流入口には、輸液を送流する管が取り付けられるようにそれぞれ形成されているようにすることもできる。
【発明の効果】
【０００９】
本発明では、輸液が流れる第１の流路を内部に備えると共に、該第１の流路の始端に流入口を備えたメスルアーと、前記第１の流路と連通可能な第２の流路を内部に備えると共に、該第２の流路の終端に流出口を備えたオスルアーとを設け、前記メスルアーと前記オスルアーとを回動可能に取り付けて、前記メスルアーまたは前記オスルアーを回動させて前記第１の流路と前記第２の流路とを連通または閉鎖しているので、輸液用コネクタ内の流路の開閉を必要に応じて自由に、かつ簡単に操作することができる。
【００１０】
また、前記オスルアーおよび前記メスルアーは互いに係合する位置決め部を備えており、前記位置決め部が係合した位置で前記第１の流路と前記第２の流路が連通され、前記位置決め部が係合しない位置で前記第１の流路と前記第２の流路が閉鎖されているので、第１の流路と第２の流路が連通する位置を簡単に、かつ正確に合わせることができる。また、切替作業時間を短縮することもできる。
【００１１】
前記第１の流路の終端と前記第２の流路の始端にそれぞれ連通穴を備えており、前記連通穴は前記メスルアーまたは前記オスルアーの回転軸に対し半径方向にずれた位置にそれぞれ形成され、前記連通穴のそれぞれが一致する位置で前記第１の流路と前記第２の流路が連通しているので、メスルアーまたはオスルアーを回動させて第１の流路と第２の流路を連通させることができる。
さらに、前記メスルアーが係合突起を備え、前記オスルアーが嵌合溝を備え、前記係合突起が前記嵌合溝に嵌合して、前記オスルアーに対して前記メスルアーの回動が案内されているので、メスルアーとオスルアーの回動時の相対的な位置関係が一定に定まるようになる。
【００１２】
前記オスルアーの前記流出口には輸液を送流する管が取り付けられ、前記メスルアーの前記流入口にはインジェクターが取り付けられるように形成されているので、インジェクターを用いて決められた分量の薬液を投与することができる。
さらに、前記オスルアーの前記流出口および前記メスルアーの流入口には、輸液を送流する管が取り付けられるようにそれぞれ形成されているので、上述したインジェクターの替わりに管を取り付けて、薬液を連続して流したり、必要に応じて薬液の流れを止めたりすることができるようになる。
【発明を実施するための最良の形態】
【００１３】
以下、本発明の実施の形態に係る輸液用コネクタについて、図１〜図４を用いて説明する。図１は、本発明の輸液用コネクタ１を組み立てた状態を示す図であり、図２は、その断面図を示している。
本発明の実施の形態に係る輸液用コネクタ１は、メスルアー１０と、このメスルアー１０が圧入されるオスルアー２０により構成されている。図３はメスルアー１０の単品の断面図を示し、図４はオスルアー２０の単品の断面図を示している。
【００１４】
図２、図３（ａ）および図３（ｂ）に示すように、メスルアー１０は、軸線１１を中心に略円柱形状に形成されており、その内部が中空形状になっている。このメスルアー１０の軸線方向の一端側（図３（ａ）の上側）には開口１２が形成されており、他端側（図３（ａ）の下側）には、前記内部を閉塞する閉塞部１３が形成されている。
【００１５】
メスルアー１０の内部には、軸線１１に沿って内周面（流入口）１４が設けられており、この内周面１４は、軸線１１を中心に円周状に形成されている。この内周面１４は、開口１２から閉塞部１３に向かうに従い、内周面１４の半径が小さくなるようなテーパが付けられている。
【００１６】
閉塞部１３は、メスルアー１０の内部に面する内平面１３ａと、メスルアー１０の外部に面する外平面１３ｂとを備えている。この内平面１３ａおよび外平面１３ｂは、軸線１１に対して直角に交わる平面として形成されている。この閉塞部１３には、内平面１３ａから外平面１３ｂまで貫通する貫通孔１５が設けられており、この貫通孔１５は、軸線１１から半径方向にずれた位置に配設されている。
【００１７】
メスルアー１０の外部には、軸線１１に沿って外周面１６が設けられており、この外周面１６は、軸線１１を中心に円周状に形成されている。この外周面１６は、内周面１４と同様に、開口１２から閉塞部１３に向かうに従い、外周面１６の半径が小さくなるようなテーパがつけられている。
【００１８】
外周面１６の閉塞部１３側には、この外周面１６から軸線１１の半径方向に突出している係合突起１７が設けられている。この係合突起１７は、外周面１６の全周に亘って連続して設けられており、係合突起１７の外形は、丸みを付けて形成されており、後述する嵌合溝の内部でスムースに摺動することができるようになっている。また、外周面１６の開口１２と閉塞部１３との間には、この外周面１６から軸線１１の半径方向に突出している係合部１８が配設されている。
なお、外周面１６の開口１２側には、ねじ部１９が形成されている。
【００１９】
オスルアー２０は、図４に示すように、メスルアー１０が挿入される挿入部２０ａと、カテーテル４０（図２参照）が取り付けられる管装着部２０ｂとが一体に構成されている。
挿入部２０ａは、軸線２１を中心にほぼ中空の円柱形状に形成されている。この挿入部２０ａの軸線方向の一端側（図４の上側）には開口２２が形成されており、他端側には、挿入部２０ａと管装着部２０ｂとの内部を仕切る仕切部２３が設けられている。
【００２０】
この挿入部２０ａの内部には、軸線２１に沿って内周面２４が設けられており、この内周面２４は、軸線２１を中心に円周状に形成されている。内周面２４は、開口２２から仕切部２３に向かうに従い、内周面２３の半径が小さくなるようにテーパが付けられている。このテーパ角は、メスルアー１０をオスルアー２０に挿入したときに（図２参照）、内周面２４とメスルアー１０の外周面１６とが面で接するように形成されている。
【００２１】
内周面２４と仕切部２３の間には、嵌合溝２７が形成されている。この嵌合溝２７は、内周面２４の全周に亘って連続して設けられており、この嵌合溝２７の形状は、メスルアー１０の係合突起１７の外面と接することができるように、丸みを付けて形成されている。
【００２２】
仕切部２３には、嵌合溝２７に面する嵌合面２３ａと、管装着部２０ｂの後述する流路に面する流路面２３ｂとが設けられている。この嵌合面２３ａと流路面２３ｂは、軸線２１に対して直角に交わる平面として形成されている。この仕切面２３には、嵌合面２３ａから流路面２３ｂまで貫通する貫通孔２５が設けられており、この貫通孔２５は、軸線２１から半径方向にずれた位置に配設されている。軸線２１から貫通孔２５までのずれの長さは、メスルアー１０の軸線１１からメスルアー１０の貫通孔１５までのずれの長さと一致するように形成されている。
【００２３】
挿入部２０ａの外側には、軸線２１に沿って外周面２６が設けられており、この外周面２６は、軸線２１を中心に円周状に形成されている。この外周面２６の開口２２側の部分には、２つの段部（係止部）２８ａ、２８ｂが形成されている。この段部２８ａ、２８ｂは、図１に示すように、開口２２の円周上の略半分の部分が、開口２２から軸線２１に沿ってオスルアー２０の内部方向に切り欠かれて形成されている。この１つの段部２８ｂは、後述するように、段部２８ｂと係合部１８が当接した状態で、貫通孔１５、２５の位置が一致するような位置に配設されている。
【００２４】
管装着部２０ｂには、仕切部２３から軸線２１に沿って挿入部２０ａと反対側に延びる管部２９が形成されている。管部２９は、中空の円筒形状に形成されており、仕切部２３と反対側の端部に開口３０が設けられている。管部２９の内部には流路３１が設けられており、この流路３１の内周面３１ａは、軸線２１を中心に円周状に形成されている。この内周面３１ａは、仕切部２３から開口３０に向かうに従い、内周面３１ａの半径が小さくなるようにテーパが付けられている。なお、流路３１と挿入部２０ａの内部とは、貫通孔２５によって連通している。
【００２５】
管部２９の外周面３２には、図２に示すように、挿入コネクタ４１が取り付けられている。この外周面３２のさらに外側には、取付部３３が設けられており、この取付部３３は、軸線２１を中心に略円筒形状に形成されている。この取付部３３の内周面は、管部２９の外周面３２から軸線２１を中心とした半径方向の外側に間隔をおいて設けられている。取付部３３の内周面にはねじ部３３ａが形成されている。
【００２６】
次に、本発明の実施の形態に係る輸液用コネクタの組み立て方法について、図２を用いて説明する。
（１）メスルアー１０は、軸線１１と２１が一直線となるように位置決めされ、メスルアー１０がその閉塞部１３側からオスルアー２０の開口２２に挿入される。このメスルアー１０とオスルアー２０の組み立ては、係合突起１７が嵌合溝２７に嵌合するまで圧入される。このとき、メスルアーの外周面１６とオスルアーの内周面２４とは面で接触してシール構造を形成している。嵌合面２３ａと外平面１３ｂも同様に接触してシール構造を形成している。これらの接触面にはシリコンオイルを塗布してシール構造をさらに高めることができる。
【００２７】
（２）挿入コネクタ４１がオスルアー２０に取り付けられる。挿入コネクタ４１にはねじ部４１ａが設けられており、この挿入コネクタ４１は、このねじ部４１ａを取付部３３の内周面のねじ部３３ａと螺合させて取り付けられている。なお、この挿入コネクタ４１には、人体側に留置されるカテーテル４０があらかじめ取り付けられている。
【００２８】
（３）メスルアーの開口１２側には、輸液セット及びインジェクター（注射器など）４５が取り付けられる。または、図示していないが、挿入コネクタをメスルアーのねじ部１９に螺合させて取り付けることもできる。
【００２９】
次に、本発明の実施の形態に係る輸液用コネクタの作用について説明する。
決められた分量の薬液を投与する場合には、インジェクター４５を用いて薬液を投与する。このインジェクター４５は、メスルアー１０に挿入される。インジェクター４５を挿入する前には、メスルアー１０の内周面１４およびインジェクター４５の先端部を消毒液などで消毒しておく。インジェクター４５を挿入する状態では、メスルアー１０の係合部１８をオスルアー２０の一方の段部２８ａに当接させておく。この状態では、貫通孔１５および２５がずれているため、誤ってインジェクター４５を押したとしても、薬液がオスルアー２０へ送流されないようになっている。
【００３０】
インジェクター４５内の薬液を投与する場合には、メスルアー１０をオスルアー２０に対して回動させ、係合部１８をオスルアー２０の他方の段部２８ｂに当接させる。この状態では、貫通孔１５および２５の位置が一致するようになっており、インジェクター４５から送られる薬液は、貫通孔１５および２５を介してオスルアー２０の流路３１からカテーテル４０へと流れることになる。
【００３１】
インジェクター４５の替わりに、薬液ボトルから配管された輸液セットをメスルアー１０に接続した場合についても、インジェクター４５を挿入した場合と同様にメスルアー１０を回動させることにより、薬液の流れる流路を任意に連通または閉鎖することができる。
【００３２】
本発明の実施の形態に係る輸液用コネクタでは、オスルアー２０に対してメスルアー１０を回動させてオスルアー２０の流路とメスルアー１０の流路とを連通または閉鎖しているので、輸液用コネクタ内の流路の開閉を必要に応じて自由に、かつ簡単に操作することができる。また、係合部１８と段部２８が係合する位置でオスルアー２０とメスルアー１０の貫通孔を連通させているので、容易かつ正確にオスルアー２０の回転位置を合わせることができる。さらに、メスルアーの係合突起１７とオスルアーの嵌合溝２７を嵌合させているので、メスルアーとオスルアーの回動時の相対的な位置関係が一定に定まるようになる。
【００３３】
以上、本発明の実施の形態について述べたが、本発明は既述の実施形態に限定されるものではなく、本発明の技術思想に基づいて各種の変形および変更が可能である。
例えば、本実施例では、メスルアー１０をオスルアー２０に対して回転させるように構成しているが、逆にオスルアー２０をメスルアー１０に対して回転させるように構成することもできる。
【図面の簡単な説明】
【００３４】
【図１】本発明の実施の形態に係る輸液用コネクタの組み立て状態を示す側面図である。
【図２】本発明の実施の形態に係る輸液用コネクタの組み立て状態を示す側面図であって、図１の断面図である。
【図３】本発明の実施の形態に係る輸液用コネクタのメスルアーであって、（ａ）は側面断面図、（ｂ）は（ａ）の上面図である。
【図４】本発明の実施の形態に係る輸液用コネクタのオスルアーの断面図である。
【図５】輸液を行なっている状態を示す外観図である。
【符号の説明】
【００３５】
１  輸液用コネクタ
１０  メスルアー
１１  軸線
１２  開口
１３  閉塞部
１３ａ  内平面
１３ｂ  外平面
１４  内周面（流入口）
１５  貫通孔（連通穴）
１６  外周面
１７  係合突起
１８  係合部（位置決め部）
１９  ねじ部
２０  オスルアー
２０ａ  挿入部
２０ｂ  管装着部
２１  軸線
２２  開口
２３  仕切部
２３ａ  嵌合面
２３ｂ  流路面
２４  内周面
２５  貫通孔（連通穴）
２６  外周面
２７  嵌合溝
２８ａ、２８ｂ  段部（位置決め部）
２９  管部
３０  開口
３１  流路
３１ａ  内周面
３２  外周面
３３  取付部
３３ａ  ねじ部
４０  カテーテル（管）
４１  挿入コネクタ
４１ａ  ねじ部
４５  インジェクター
５０  薬液
５１  イルリガートルスタンド
５２  薬液ボトル
５３  輸液セット
５４  薬液カウンター
５５  輸液ポンプ
【図１】
2005304582.tif 000003
【図２】
2005304582.tif 000004
【図３】
2005304582.tif 000005
【図４】
2005304582.tif 000006
【図５】
2005304582.tif 000007